(57)【特許請求の範囲】
【請求項１】
ヘッドパイプ（５１）から車体後方に延びる一対のメインチューブ（５２）および該メインチューブ（５２）の後方から車体後方且つ上方に延びるシートレール（５５）を有する車体フレーム（５０）と、
前記メインチューブ（５２）の下方で前記車体フレーム（５０）に締結されるエンジン（４７）と、
前記メインチューブ（５２）の下方に配置されて、前記エンジン（４７）に混合空気を供給する吸気装置（４８）と、
前記シートレール（５５）の上方に配置されて、前記車体フレーム（５５）に対して開閉可能に取付けられたシート（４０）と、
前記シート（４０）の下方に位置する収納ボックス（５）と、
前記シート（４０）の開閉時の補助機能を有するダンパ部材（９）を有するヒンジ機構（１５）と、
を備える鞍乗型車両（１）において、
前記ヒンジ機構（１５）を構成するヒンジ取付けフレーム（１６）が、少なくとも前記シート（４０）を回動自在に支持する回動支軸部（１５ａ）と前記ダンパ部材（９）を保持するダンパ保持部（１６ｋ）とを備えて、前記メインチューブ（５２）に着脱自在に設けられ、
前記ヒンジ取付けフレーム（１６）は、バッテリボックス（１７）を保持するバッテリ保持部（１４）が、平面視で該フレーム内側に設けられたことを特徴とする鞍乗型車両（１）。
【請求項２】
ヘッドパイプ（５１）から車体後方に延びる一対のメインチューブ（５２）および該メインチューブ（５２）の後方から車体後方且つ上方に延びるシートレール（５５）を有する車体フレーム（５０）と、
前記メインチューブ（５２）の下方で前記車体フレーム（５０）に締結されるエンジン（４７）と、
前記メインチューブ（５２）の下方に配置されて、前記エンジン（４７）に混合空気を供給する吸気装置（４８）と、
前記シートレール（５５）の上方に配置されて、前記車体フレーム（５５）に対して開閉可能に取付けられたシート（４０）と、
前記シート（４０）の下方に位置する収納ボックス（５）と、
前記シート（４０）の開閉時の補助機能を有するダンパ部材（９）を有するヒンジ機構（１５）と、
を備える鞍乗型車両（１）において、
前記ヒンジ機構（１５）を構成するヒンジ取付けフレーム（１６）が、少なくとも前記シート（４０）を回動自在に支持する回動支軸部（１５ａ）と前記ダンパ部材（９）を保持するダンパ保持部（１６ｋ）とを備えて、前記メインチューブ（５２）に着脱自在に設けられ、
前記車体フレーム（５０）に設けられた収納ボックス固定ステー（７０Ｒ，７０Ｌ）に前記収納ボックス（５）が取付けられるとともに、前記ヒンジ取付けフレーム（１６）も前記収納ボックス固定ステー（７０Ｒ，７０Ｌ）に一緒に取付けられたことを特徴とする鞍乗型車両（１）。
【請求項３】
前記ヒンジ取付けフレーム（１６）は、前記メインチューブ（５２）に沿うように延びる一対の前延フレーム（１６Ｒ，１６Ｌ）と、前記前延フレーム（１６Ｒ，１６Ｌ）の前部を連結するとともに前記回動支軸部（１５ａ）が設けられたフレームクロス部（１６ｃ）と、を有してなる略Ｕ字形状に構成され、前記前延フレーム（１６Ｒ，１６Ｌ）の何れか一方側に前記ダンパ保持部（１６ｋ）が設けられたことを特徴とする請求項１または２に記載の鞍乗型車両（１）。
【請求項４】
前記バッテリボックス（１７）から上方に延出されたボックス延部（１７ｂ）は、前記ダンパ部材（９）が配設された側とは車両幅方向の反対側に設けられ、前記ボックス延部（１７ｂ）に電装部品（８１）が取付けられるように構成されたことを特徴とする請求項１に記載の鞍乗型車両（１）。
【請求項５】
前記ダンパ保持部（１６ｋ）は、前記前延フレーム（１６Ｒ，１６Ｌ）から車両下方に向って垂下するように設けられたことを特徴とする請求項３に記載の鞍乗型車両（１）。
【発明の詳細な説明】
【技術分野】
【０００１】
本発明は、鞍乗型車両に関するものであり、特に、乗員が着座するシートを開閉するヒンジ機構が改良された鞍乗型車両に関する。
【背景技術】
【０００２】
自動二輪車等の車両は、乗員がシートに跨って着座するために、鞍乗型車両と呼ばれる。この鞍乗型車両には、例えば、特許文献１に開示されているように、乗員が足を載せることができる低床部を備えている所謂、低床式鞍乗型車両（スクータ型自動二輪車）と呼ばれる車両がある。
【０００３】
特許文献１に開示された低床式鞍乗型車両の構造は、車体フレームは周知の如くヘッドパイプとこのヘッドパイプから車両後方に延びる左右一対のメインチューブを主なフレームとする構造であり、このメインチューブの下側にエンジンのシリンダ並びにエンジンに混合空気を供給する吸気装置が配設されて、その上にセンタカバーを被せた構造である。
この構造の場合、シリンダや吸気装置の上側には部品が配置されていないので、センタカバーを外せば、シリンダや吸気装置をメンテナンスすることが容易にできる、という特徴を有している。
【０００４】
一方、特許文献２に開示された構造は、ヘッドパイプに寄り添うように車両下方かつ後方に延びたメインチューブに、シートを開閉可能にするアーム用ブラケットが溶接されたヒンジ機構を備えた構造である。このシート開閉構造の場合、ヒンジ機構が車両前寄りに配置されることで、シート前方側にも収納空間を形成してシート開閉と同時に大きく開閉することができる、という特徴を有している。
【先行技術文献】
【特許文献】
【０００５】
【特許文献１】特許第４２７０３５１号
【特許文献２】特開２００８−２７９９６１号公報
【発明の概要】
【発明が解決しようとする課題】
【０００６】
ここで、特許文献１に開示されたように、エンジンが比較的車両前寄りに配置された構造の場合、例えば特許文献２に開示されているようなに、ヒンジ機構をエンジンの上方側に配置してシート開閉ができるようにすることで、大きな開閉動ができるようにして、収納領域を着座領域よりも前寄りに形成して大きくできる等のメリットがある。
しかしながら、シート開閉のヒンジ機構がエンジンの上方側に配置されると、シリンダや吸気装置をメンテナンスするときに、作業の邪魔になり作業性が悪くなるという課題がある。
【０００７】
本発明は、上記の課題に鑑みなされたものであり、鞍乗型車両において、エンジンならびに吸気系の上方側にシート開閉用のヒンジ機構が配置された構造であっても、車両の上方側からエンジンならびに吸気系へのアプローチ性が良くメンテナンス性の良い鞍乗型車両を提供することを目的とする。
【課題を解決するための手段】
【０００８】
上記目的を達成するために、請求項１に記載の発明は、ヘッドパイプから車体後方に延びる一対のメインチューブおよび該メインチューブの後方から車体後方且つ上方に延びるシートレールを有する車体フレームと、前記メインチューブの下方で前記車体フレームに締結されるエンジンと、前記メインチューブの下方に配置されて、前記エンジンに混合空気を供給する吸気装置と、前記シートレールの上方に配置されて、前記車体フレームに対して開閉可能に取付けられたシートと、前記シートの下方に位置する収納ボックスと、前記シートの開閉時の補助機能を有するダンパ部材を有するヒンジ機構と、を備える鞍乗型車両において、
前記ヒンジ機構を構成するヒンジ取付けフレームが、少なくとも前記シートを回動自在に支持する回動支軸部と前記ダンパ部材を保持するダンパ保持部とを備えて、前記メインチューブに着脱自在に設けられ、
前記ヒンジ取付けフレームは、バッテリボックスを保持するバッテリ保持部が、平面視で該フレーム内側に設けられたことを特徴とする。
請求項２に記載の発明は、ヘッドパイプから車体後方に延びる一対のメインチューブおよび該メインチューブの後方から車体後方且つ上方に延びるシートレールを有する車体フレームと、前記メインチューブの下方で前記車体フレームに締結されるエンジンと、前記メインチューブの下方に配置されて、前記エンジンに混合空気を供給する吸気装置と、前記シートレールの上方に配置されて、前記車体フレームに対して開閉可能に取付けられたシートと、前記シートの下方に位置する収納ボックスと、前記シートの開閉時の補助機能を有するダンパ部材を有するヒンジ機構と、を備える鞍乗型車両において、
前記ヒンジ機構を構成するヒンジ取付けフレームが、少なくとも前記シートを回動自在に支持する回動支軸部と前記ダンパ部材を保持するダンパ保持部とを備えて、前記メインチューブに着脱自在に設けられ、
前記車体フレームに設けられた収納ボックス固定ステーに前記収納ボックスが取付けられるとともに、前記ヒンジ取付けフレームも前記収納ボックス固定ステーに一緒に取付けられたことを特徴とする。
【０００９】
請求項３に記載の発明は、請求項１または２に記載の発明の構成に加えて、前記ヒンジ取付けフレームは、前記メインチューブに沿うように延びる一対の前延フレームと、前記前延フレームの前部を連結するとともに前記回動支軸部が設けられたフレームクロス部と、を有してなる略Ｕ字形状に構成され、前記前延フレームの何れか一方側に前記ダンパ保持部が設けられたことを特徴とする。
【００１１】
請求項４に記載の発明は、請求項１に記載の発明の構成に加えて、前記バッテリボックスから上方に延びる張出したボックス延部が、前記ダンパ部材が配設された側とは車両幅方向の反対側に設けられ、前記ボックス延部に電装部品が取付けられるように構成されたことを特徴とする。
【００１３】
請求項５に記載の発明は、請求項３に記載の発明の構成に加えて、前記ダンパ保持部は、前記前延フレームから車両下方に向って垂下するように設けられたことを特徴とする。
【発明の効果】
【００１４】
請求項１に記載の発明によれば、ヒンジ機構を構成するヒンジ取付けフレームが、シートを回動自在に支持する回動支軸部やダンパ部材を保持する構成とすることにより、ヒンジ取付けフレームとシートとを一体的に取り扱うことが可能となり、さらに、ヒンジ取付けフレームが車体のメインチューブに対して着脱自在に構成されたことにより、ヒンジ取付けフレームを取り外しが容易になり、かつシートおよびヒンジ機構を一緒に車体から外すことができる。
したがって、本発明によれば、ヒンジ取付けフレームを取り外すことで、大きな開口領域を作ることができ、ヒンジ機構よりも車体内側に配置されている部品等のメンテナンスが容易にできる。
また、ヒンジ取付けフレームは、バッテリボックスを保持するバッテリ保持部が、該フレーム内側に設けられたことにより、バッテリをコンパクトに配置でき、また、バッテリの車体からの着脱はヒンジ取付けフレームと一緒にできる。このことによりバッテリのごとき大きな部品を保持したヒンジ取付けフレームを車体フレームから取り外したときに、大きなスペースを空けることができ、その奥の部品のメンテナンス性を良好にできる。
請求項２に記載の発明によれば、ヒンジ機構を構成するヒンジ取付けフレームが、シートを回動自在に支持する回動支軸部やダンパ部材を保持する構成とすることにより、ヒンジ取付けフレームとシートとを一体的に取り扱うことが可能となり、さらに、ヒンジ取付けフレームが車体のメインチューブに対して着脱自在に構成されたことにより、ヒンジ取付けフレームを取り外しが容易になり、かつシートおよびヒンジ機構を一緒に車体から外すことができる。
したがって、本発明によれば、ヒンジ取付けフレームを取り外すことで、大きな開口領域を作ることができ、ヒンジ機構よりも車体内側に配置されている部品等のメンテナンスが容易にできる。
また、車体フレームに設けられた収納ボックス固定ステーに収納ボックスを取付けるとともに、ヒンジ取付けフレームをも一緒に取付け固定するように構成されているので、一カ所の締結箇所に２つの部材を取付けられるので、構造の簡素化ならびに締結部品を少なくすることができる。
【００１５】
請求項３に記載の発明によれば、ヒンジ取付けフレームは、メインチューブに沿うように延びる前延フレームと、この前延フレームの前部を連結するフレームクロス部とからなり平面視で略Ｕ字形状に構成されたことにより、左右のメインチューブ間の大きな空間を最大限に利用できるヒンジ取付けフレームの構造とすることができ、該フレーム内側に各種部品を配置することが可能となる。
更に、ダンパ保持部が前延フレームの一方側に設けられたことにより、シート開閉時の操作性の確保とともに各種部品を配置に必要な空間が容易である。
【００１７】
請求項４に記載の発明によれば、ダンパ部材が配設された側とは車両幅方向反対側に電装品を配置する構造としたので、ヒンジ取付けフレームの内側において、バッテリ及び電装品とダンパ部材とをスペース効率良く配置できる。また、バッテリボックスにはその上方に延びるボックス延部が設けられ、該ボックス延部に電装部品が取付けられるように構成されているので、電気部品の保持構造の簡素化ならびに電気配線系統を短くできる。
また、複数の部品がヒンジ取付けフレームに保持されているので、ヒンジ取付けフレームを取外すだけで多くの部品取外しが一度に可能になり、さらに、多数の部品を一緒に取外せるので大きな開口スペースを確保でき、取外しの作業も簡単になる。
さらに、バッテリと電装品とが一体構造の保持手段（ボックス延部とバッテリボックス）に保持されているので、バッテリを車体フレームから取外す際に、配線系の取外しを少なくできる。
【００１９】
請求項５に記載の発明によれば、ダンパ保持部が、前延フレームから車両下方に向って垂下して設けられたことにより、その上側に配置されるシート側ダンパ取付け部との間隔を大きく設定でき、ダンパ部材のストローク長の大きさを確保できる。
【図面の簡単な説明】
【００２０】
【図１】本発明に係る鞍乗型車両の一実施形態における左側面図である。
【図２】図１に示す鞍乗型車両における車体のカバー部材を取り外した状態でかつシート部分の内部構造を示すための概略部分側面図である。
【図３】図１に示す鞍乗型車両における車体のカバー部材を取り外した状態の要部の概略平面図である。
【図４】図１に示す鞍乗型車両における車体のカバー部材ならびにシートを取り外した状態の要部の概略斜視図である。
【図５】図１に示す鞍乗型車両における車体のカバー部材を取り外した状態の要部の右側面図である。
【図６】図５に示すシートを開けた状態を示す右側面図である。
【図７】本発明に係る鞍乗型車両の一実施形態におけるヒンジ取付けフレームを示す左側面図である。
【図８】ヒンジ取付けフレームにダンパ部材が取付けられていない状態において、図７の矢印Ａ方向から見た平面図である。
【図９】本発明に係る一実施形態におけるダンパ部材を示す概略側面図である。
【図１０】図１に示す鞍乗型車両における車体のカバー部材を取り外し、更にヒンジ機構等を取外した状態の概略平面図である。
【発明を実施するための形態】
【００２１】
本発明の一実施形態について、以下、添付図に基づいて説明する。
なお、図面は符号の向きに見るものとし、また、図中に示す、Ｆｒ，Ｒｒ，Ｕ，Ｄ，Ｒ，Ｌは実施形態における鞍乗型車両の前方向，後方向，上方向，下方向，右方向，左方向を示すものである。
図１は本発明に係る一実施形態における低床式鞍乗型車両の左側面図である。
【００２２】
低床式鞍乗型車両としての低床式鞍乗型二輪車１は、ヘッドパイプ５１の下端側から後方にかつ若干下方に向かって車体中央まで延びたメインチューブ５２と、ヘッドパイプ５１の上端側から斜め下方かつ後方に延びてメインチューブ５２に繋げられた上部補強チューブ５３ａと、メインチューブ５２の前方寄りのところから斜め下方かつ後方へ延びるダウンチューブ５４と、ダウンチューブ５４とメインチューブ５２との間を斜めに繋げた下方補強チューブ５３ｂと、メインチューブ５２の後端から車両後方へかつ若干上方に延びるシートレール５５と、メインチューブ５２およびシートレール５５に連結されて車体上下方向に延びてピボットシャフト６１やサブフレーム５６等を保持するピボットプレート５７と、等から車体フレーム５０が構成されている。
【００２３】
また、低床式鞍乗型二輪車１は、ヘッドパイプ５１に旋回自在に取り付けたフロントフォーク５８の下端に回転自在に設けられた前輪５８ａと、フロントフォーク５８の上端に設けられたハンドル４９と、メインチューブ５２の下方側に取り付けられたパワーユニット４７と、パワーユニット４７の後方に回転自在にスイングアーム６０を介して設けられた後輪５８ｂと、リヤークッション等を備えた構成である。
【００２４】
さらに、低床式鞍乗型二輪車１の外観構成は、ヘッドパイプ５１の前方を囲うフロントカウル６５と、ヘッドパイプ５１の後方を囲うレッグシールド６４と、このレッグシールド６４に連なり略水平に延びるステップフロア６７と、シートレール５５を囲うサイドカバー６８と、このサイドカバー６８の上に配置されシートレール５５で支持され、前後に延びるシート４０と、等を有して構成されている。
【００２５】
なお、詳しい説明は省略するが、６３はフロントフェンダ、６５aは前照灯、６６はリヤーフェンダ、４５は排気管、４６はスタンド、６９は消音器、１８は後部コンビネーションランプ、１９は、後部シートに座るパッセンジャが握るグラブレールである。
【００２６】
パワーユニット４７は、エンジン４７ａの後方側に減速部４７ｂを備え、このエンジン４７ａで発生した駆動力を減速し、後輪５８ｂへ伝える重要な動力伝達部品である。
なお、乗員は、シート４０に着座し、足をステップフロア６７に載せ、ハンドル４９を握ることで、乗車姿勢を保つ。
【００２７】
図２〜図９を参照して、本発明に係る低床式鞍乗型二輪車１におけるヒンジ機構およびその周辺構造について説明する。
本実施形態においては、車体フレーム５０のメインチューブ５２には、シート４０がヒンジ機構１５を介して接続されている。これは、図４及び図５に示すように、ヒンジ機構１５は、シート４０と一体的に回動するシート側ヒンジ部材１０を有している。そして、このシート側ヒンジ部材１０がリッド部材２０に連結され、さらに、リッド部材２０がシート底板３０に連結された構造であるので、ヒンジ機構１５の開閉操作によって、シート４０が開閉される。
【００２８】
また、シート４０の下方に収納ボックス５が配置され、収納ボックス５の後方には燃料タンク６が配置されている。また、吸気装置４８の前面側にはラジエータ７８、右側面側にはラジエータホース７９等が配設されている。なお、ヒンジ機構１５の直ぐ前方側には、図示を省略してあるがエアークリーナケースが配設され、該エアークリーナケースが空気管路（図示せず）を介して吸気装置４８に接続されている。
【００２９】
シート側ヒンジ部材１０の上側には、図２に示すように、センタカバー１０ａが取り付けられ、取付けブラケット１６ａの上方側はフロントカバー６５により覆われている。このフロントカバー６５の後方側でセンタカバー１０ａの上方の空間がシート４０の前方側の跨ぎ空間３として形成されている。
【００３０】
また、シート４０は、図２に内部構成を示すように、剛性を維持するシート底板３０の上にクッション材４２が設けられた構造であり、このクッション材４２を包み込むように表面を覆うシート表皮４１が設けられた構成である。
【００３１】
本実施形態におけるヒンジ機構１５は、金属製の部材であって、その取付け状態を図３および図４に示し、取外し状態を図８に示すように、平面視で車両前方側から見て略Ｕ字形状で左右のメインチューブ５２を架け渡すように取付けられたヒンジ取付けフレーム１６を有している。
このヒンジ取付けフレーム１６は、車両前端部分には、取付けブラケット１６ａが設けられており、この取付けブラケット１６ａにシート側ヒンジ部材１０が回動支軸部１５ａを介して軸支される。この軸支構造によって、シート４０が回動自在に保持されている。
【００３２】
前掲のヒンジ機構１５を構成するヒンジ取付けフレーム１６ならびにその周辺構造について説明する。
なお、図３および図４においては、シート４０についてはシート側ヒンジ部材１０のみを図示しシート４０全体は省略してある。また、電装部品８１等の配線およびエアークリーナケースや吸気系のホース等についても適宜省略してある。
【００３３】
本実施形態においては、ヒンジ機構１５の本体部分とも云えるヒンジ取付けフレーム１６は、図３および図７に示すように、車両前方側にシート４０を回動自在に支持する回動支軸部１５ａを有しており、さらに、シート４０の回動基部を構成したシート側ヒンジ部材１０のシート側ダンパ取付け部１０ｇとダンパ保持部１６ｋとの間にダンパ部材９が取付けられた構成である。
【００３４】
また、ヒンジ取付けフレーム１６は、メインチューブ５２に対して、締結部材を用いた取付け構造によって着脱自在に設けられている。この取付け構造についてより詳しく説明する。
すなわち、ヒンジ取付けフレーム１６には、車両前方寄りで車両上方に立ち上がった部分に前方側取付けブラケット１６ｆ，１６ｆが一対設けられ、この前方側取付けブラケット１６ｆに設けられた挿通穴１６ｈが形成されている。また、車両後方端には後方側取付けブラケット１６ｒ，１６ｒが設けられ、後方側取付けブラケット１６ｒ，１６ｒにも挿通穴１６ｈがそれぞれ形成されている。
【００３５】
そして、前方側取付けブラケット１６ｆ，１６ｆには取付けボルト６２ｆを挿通して上部補強チューブ５３ａ側に螺合固定する。さらに、後方側取付けブラケット１６ｒ，１６ｒの挿通穴１６ｈには、後述する収納ボックス固定ステー７０Ｒ，７０Ｌにそれぞれ突設された突設ネジ部５２ｄを、挿通して取付けナット５２ｅを螺合して固定する。
【００３６】
本実施形態のヒンジ取付けフレーム１６は、図３および図４に示すように、メインチューブ５２に沿うように延びる前延フレーム１６Ｒ，１６Ｌと、前延フレーム１６Ｒ，１６Ｌの前部を若干内側に屈曲して連結されたフレームクロス部１６ｃとからなる略Ｕ字形状のパイプフレーム構造である。そして、フレームクロス部１６ｃに回動支軸部１５ａが設けられ、一方の前延フレーム１６Ｒにはダンパ保持部１６ｋが設けられている。
【００３７】
本実施形態におけるヒンジ取付けフレーム１６は、図７および図８に示すように、バッテリボックス１７を保持するバッテリ保持部１４が設けられている。このバッテリ保持部１４は、図８に示すように、平面視で該フレーム内側に位置するように前延フレーム１６Ｒ，１６Ｌに、その右左端の固定部１４ｂ，１４ｂが溶接されている。
【００３８】
また、バッテリ保持部１４は、バッテリボックス１７の底面側、前面側および左右両側を保持可能なボックス固定フレーム１４ａを備えた構造であり、例えば、バッテリボックス１７の前面側に設けられた爪部材（不図示）がボックス固定フレーム１４ａの一端に係止され、かつフレーム上下端中央に設けられたフック部１４ｃにバッテリ固定部材８３に架け渡すようしてバッテリボックス１７を保持固定（図４参照）することができる。
このバッテリボックス１７はその下方側および前方側を覆うようにヒートガード９０が設けられている。なお、このヒートガード９０は左右両側がメインチューブ５２に乗るように配置されており、バッテリ等の電装品をエンジン熱から保護するように構成されている。
また、前延フレーム１６Ｒには、ダンパ部材９の下端側を取付けるダンパ保持部１６ｋが車両下方側に延びるように設けられている。
なお、このダンパ保持部１６ｋには、後述するダンパ部材９の雄ねじ部９ｃが螺合する雌ねじ部１６ｅが設けられている。
また、ヒンジ取付けフレーム１６は、その前方側にはカバー部材取付け部１６ｊ，１６ｊ等が適宜設けられている。
【００３９】
本実施形態におけるダンパ部材９は、図９に示すように、内軸９ａが外軸９ｂ内を特定の付勢力を持って移動可能（矢印Ｙ方向への移動可能）に構成されている。
また、内軸９ａおよび外軸９ｂの先端部９ｅには、それぞれ雄ねじ部９ｃがピボット連結されて連結向きが自在に対応できるようになっている。すなわち、図中上側の雄ねじ部９ｃがシート側ヒンジ部材１０のシート側ダンパ取付け部１０ｇに連結される一方、下側の雄ねじ部９ｃがダンパ保持部１６ｋの雌ねじ部１６ｅに連結されて、シート４０の開動作(図７における矢印Ｒ１方向)および閉動作(図７における矢印Ｒ２方向)のときに、ダンパ部材９が揺動する動きに対応できるように構成されている。
【００４０】
本実施形態においては、図４に示すように、ダンパ部材９が配設された側とは車両幅方向の反対側には、バッテリボックス１７から上方に延びるように張出したボックス延部１７ｂ（図７参照）が設けられている。そして、このボックス延部１７ｂに、電装部品８１が取付けられており、その直ぐ下のバッテリ８０と接近した位置で接続できるように構成されている。
【００４１】
また、本実施形態においては、図４に示すように、車体フレーム５０に設けられた収納ボックス固定ステー７０Ｒ，７０Ｌに収納ボックス５を取付けるとともに、ヒンジ取付けフレーム１６も一緒に取付け固定されるように構成されている。
【００４２】
この取付け固定構造は、例えば、クロスパイプ５２ｇに設けられた収納ボックス固定ステー７０Ｒ，７０Ｌの先端の取付け面７１に、上方に向って突設ネジ部５２ｄが突設され、この突設ネジ部５２ｄに収納ボックス取付部５ａの穴を通し、その上から後方側取付けブラケット１６ｒの挿通穴１６ｈを通した後に取付けナット５２ｅを螺合して固定する構造である。
このように突設ネジ部５２ｄが取付け部分に突設された構成であると、ヒンジ取付けフレーム１６を車体フレーム５０から取外したときでも、収納ボックス５を所定位置に保持できる。また、ヒンジ取付けフレーム１６を取付けるときは、位置決めが容易である。
【００４３】
また、本実施形態においては、図７に示すように、ヒンジ取付けフレーム１６に設けられたダンパ保持部１６ｋは、前延フレーム１６Ｒから車両下方に向って延びるように設けられている。
すなわち、ダンパ保持部１６ｋが前延フレーム１６Ｒから車両下方に向って延びるように構成されることで、ダンパ保持部１６ｋとシート側ヒンジ部材１０のシート側ダンパ取付け部１０ｇとの距離を大きく設定することができ、シート４０の開閉時（矢印Ｒ１，Ｒ２方向の回転）のダンパ部材９の伸縮ストロークを大きく設定できる。
【００４４】
以上述べた構造の低床式鞍乗型二輪車１における本実施形態の作用について説明する。
本実施形態においては、シート４０は後方側の内側に、シート４０の閉じ状態を維持する図示しないロック手段が設けられている。したがって、シート４０が閉じられた状態では、図１，図２および図５に示すように、収納ボックス５が閉じられており、燃料タンク６もシート４０によって覆われている。
【００４５】
一方、収納ボックス５を利用すべく、シート４０を開くときは、シート４０の閉じ状態を維持していたロックを外すとともに、図６に示すように、該シート４０を車体上方に開くように操作する。
これにより、回動支軸部１５ａを支点にしてシート４０全体が回動する。この開動操作のとき、シート４０はシート側ヒンジ部材１０に連結されたダンパ部材９によって保持されているので、回動時の動きが安定して操作性が良く、さらに、シート開き状態がダンパ部材９によりしっかりと維持される。また、本実施形態ではダンパ保持部１６ｋを車両下方に延ばすことでダンパ部材９の設置スペースが大きくなっているので、移動ストロークの大きいものが使用されており、シート４０の開動のストロークが大きく開く。
【００４６】
ヒンジ機構１５の下方に配置された吸気装置４８等のエンジンの吸気系のメンテナンス時について説明する。
吸気装置４８をメンテナンスする際は、まず、カバー部材を適宜取り外した後に、ヒンジ機構１５のヒンジ取付けフレーム１６を取り外すとともにヒートガード９０を取外す（図５における矢印Ｘ方向）。このとき、電装部品８１等の若干の配線接続を外すとともに、ボルト６２ｆ，６２ｆならびにナット５２ｅ，５２ｅを外すことにより、ヒンジ取付けフレーム１６とともにバッテリ８０ならびにシート４０がメインチューブ５２から一度に取り外すことができる。
このヒンジ取付けフレーム１６を車体フレーム５０から取外した状態において、収納ボックス５は、突設された突設ネジ部５２ｄによって所定位置に保持されている。
【００４７】
このヒンジ機構１５およびヒートガード９０の取り外しによって、図１０に示すように、車両上側の領域において、大きな開口が形成されて吸気装置４８が良く見える状態になる。したがって、吸気装置４８への作業スペースが簡単に確保される。また、作業後にヒンジ機構１５を取り付けるときも、若干の配線接続、前掲のボルト６２ｆ，６２ｆならびに取付けナット５２ｅ，５２ｅの４個の締結部材によって簡単に固定作業が終了できる。また、ヒンジ取付けフレーム１６を取付けるときも、突設ネジ部５２ｄに後方側取付けブラケット１６ｒの挿通穴１６ｈを挿通するだけで、その位置決めが容易にできる。
【００４８】
このように、ヒンジ機構１５がバッテリ８０、電装部品８１、ダンパ部材９等をヒンジ取付けフレーム１６内側に保持した状態で、車体のメインチューブ５２に着脱自在に構成されたことで、ヒンジ取付けフレーム１６を取り外したときに、大きな開口領域を作り、その奥にある部品等のメンテナンスが極めて容易である。
【００４９】
以上、本発明の一実施形態である低床式鞍乗型車両（スクータ型自動二輪車）を例に説明したが、必ずしもこのタイプの自動二輪車に限るものではなく、他の鞍乗型車両に適用できるものである。
また、上記実施形態においては、ヒンジ取付けフレーム１６を固定する締結箇所は４カ所としたが、これに限定されるものでなく適宜設定することができる。また、ボルト締め構造やナット締め構造についても、上記実施形態に限らず適宜変更することができる。更に、上記実施形態においては、ダンパ部材９は車両右側に電装部品８１は左側に配置したが、左右反対に配してもよい。
【符号の説明】
【００５０】
１    低床式鞍乗型二輪車（鞍乗型車両）
５    収納ボックス
６    燃料タンク
９    ダンパ部材
１０  シート側ヒンジ部材
１４  バッテリ保持部
１５  ヒンジ機構
１６  ヒンジ取付けフレーム
１６ｋ  ダンパ保持部
１７  バッテリボックス
４０  シート
４５  排気管
４８  吸気装置
５０  車体フレーム
５２  メインチューブ
７０Ｒ，７０Ｌ  収納部ボックス固定ステー
【図１】
0005578999.tif 000002
【図２】
0005578999.tif 000003
【図３】
0005578999.tif 000004
【図４】
0005578999.tif 000005
【図５】
0005578999.tif 000006
【図６】
0005578999.tif 000007
【図７】
0005578999.tif 000008
【図８】
0005578999.tif 000009
【図９】
0005578999.tif 000010
【図１０】
0005578999.tif 000011